(57)【要約】  本発明は、サウンディング参照信号転送電力制御方法に関するものである。
2015529037.tif 000002
【特許請求の範囲】
【請求項１】
ベース範囲である第１範囲及び前記第１範囲より大きい値を含む第２範囲を含む全体範囲において一定の間隔を使用して端末に対するアップリンクサウンディング参照信号の転送電力の特定オフセット値を設定し、
前記設定されたオフセット値を指示するオフセット情報を、上位階層シグナリングを通じて前記端末に転送すること、
を含む、送受信ポイントにおけるアップリンクサウンディング参照信号（ＳＲＳ）の転送電力制御方法。
【請求項２】
前記送受信ポイントの上位階層シグナリングにより与えられる変数Ｋｓが１．２５の時、前記全体範囲は［−３，２８］ｄＢであり、前記第１範囲は［−３，１２］ｄＢであり、前記第２範囲は（１２，２８］ｄＢであり、前記一定の間隔は１ｄＢであり、
Ｋｓ＝０の時、前記全体範囲は［−１０．５，２８．５］ｄＢであり、前記第１範囲は［−１０．５，１２］ｄＢであり、前記第２範囲は（１２，２８．５］ｄＢであり、前記一定の間隔は１．５ｄＢであることを特徴とする、請求項１に記載の方法。
【請求項３】
前記オフセット情報は、前記第１範囲を前記一定の間隔を用いて定義する第１パラメータと、前記第２範囲を前記一定の間隔を用いて定義する第２パラメータを含むことを特徴とする、請求項２に記載の方法。
【請求項４】
前記アップリンクＳＲＳは、周期的アップリンクＳＲＳ及び非周期的アップリンクＳＲＳのうち、少なくとも１つであることを特徴とする、請求項１に記載の方法。
【請求項５】
ベース範囲である第１範囲及び前記第１範囲より大きい値を含む第２範囲を含む全体範囲において一定間の隔を使用してアップリンクサウンディング参照信号（ＳＲＳ）の転送電力の特定のオフセット値を指示するオフセット情報を送受信ポイントから受信し、
前記オフセット情報が指示するオフセット値を使用するアップリンクＳＲＳの転送電力に基づいて前記アップリンクＳＲＳを転送すること
を含む、端末のアップリンクＳＲＳの転送電力制御方法。
【請求項６】
前記送受信ポイントの上位階層シグナリングにより与えられる変数Ｋｓが１．２５の時、前記全体範囲は［−３，２８］ｄＢであって、前記第１範囲は［−３，１２］ｄＢであり、前記第２範囲は（１２，２８］ｄＢであり、前記一定の間隔は１ｄＢであり、
Ｋｓ＝０の時、前記全体範囲は［−１０．５，２８．５］ｄＢであって、前記第１範囲は［−１０．５，１２］ｄＢであり、前記第２範囲は（１２，２８．５］ｄＢであり、前記一定の間隔は１．５ｄＢであることを特徴とする、請求項５に記載の方法。
【請求項７】
前記オフセット情報は、前記第１範囲を前記一定の間隔を用いて定義する第１パラメータと、前記第２範囲を前記一定の間隔を用いて定義する第２パラメータを含む、請求項６に記載の方法。
【請求項８】
前記アップリンクＳＲＳは、周期的アップリンクＳＲＳ及び非周期的アップリンクＳＲＳのうち、少なくとも１つである、請求項５に記載の方法。
【請求項９】
ベース範囲である第１範囲及び前記第１範囲より大きい値を含む第２範囲を含む全体範囲において一定の間隔で端末に対するアップリンクサウンディング参照信号（ＳＲＳ）の転送電力の特定のオフセット値を設定する制御部と、
前記特定のオフセット値を指示するオフセット情報を、上位階層シグナリングを通じて前記端末に転送する送信部と、
を含む、送受信ポイント。
【請求項１０】
前記送受信ポイントの上位階層シグナリングにより与えられる変数Ｋｓが１．２５の時、前記全体範囲は［−３，２８］ｄＢであり、前記第１範囲は［−３，１２］ｄＢであり、前記第２範囲は（１２，２８］ｄＢであり、前記一定の間隔は１ｄＢであり、
Ｋｓ＝０の時、前記全体範囲は［−１０．５，２８．５］ｄＢであり、前記第１範囲は［−１０．５，１２］ｄＢであり、前記第２範囲は（１２，２８．５］ｄＢであり、前記一定の間隔は１．５ｄＢである、請求項９に記載の送受信ポイント。
【請求項１１】
前記オフセット情報は、前記第１範囲を前記一定の間隔を用いて定義する第１パラメータと、前記第２範囲を前記一定の間隔を用いて定義する第２パラメータを含む、請求項１０に記載の送受信ポイント。
【請求項１２】
前記アップリンクＳＲＳは、周期的アップリンクＳＲＳ及び非周期的アップリンクＳＲＳのうち、少なくとも１つである、請求項９に記載の送受信ポイント。
【請求項１３】
ベース範囲である第１範囲及び前記第１範囲より大きい値を含む第２範囲を含む全体範囲において一定の間隔でアップリンクサウンディング参照信号（ＳＲＳ）の転送電力の特定オフセット値を指示するオフセット情報を送受信ポイントから受信する受信部と、
前記オフセット情報が指示するオフセット値に基づいてアップリンクＳＲＳの転送電力を設定する制御部と、
前記制御部で設定されたアップリンクＳＲＳの転送電力で前記アップリンクＳＲＳを転送する送信部と、
を含むことを特徴とする、端末。
【請求項１４】
前記送受信ポイントの上位階層シグナリングにより与えられる変数Ｋｓが１．２５の時、前記全体範囲は［−３，２８］ｄＢであり、前記第１範囲は［−３，１２］ｄＢであり、前記第２範囲は（１２，２８］ｄＢであり、前記一定の間隔は１ｄＢであり、
Ｋｓ＝０の時、前記全体範囲は［−１０．５，２８．５］ｄＢであり、前記第１範囲は［−１０．５，１２］ｄＢであり、前記第２範囲は（１２，２８．５］ｄＢであり、前記一定の間隔は１．５ｄＢである、請求項１３に記載の端末。
【請求項１５】
前記オフセット情報は、前記第１範囲を前記一定の間隔を用いて定義する第１パラメータと、前記第２範囲を前記一定の間隔を用いて定義する第２パラメータを含む、請求項１３に記載の端末。
【請求項１６】
前記アップリンクＳＲＳは、周期的アップリンクＳＲＳ及び非周期的アップリンクＳＲＳのうち、少なくとも１つである、請求項１３に記載の端末。
【発明の詳細な説明】
【背景技術】
【０００１】
本発明は、アップリンクサウンディング参照信号の転送電力制御に関するものである。
【０００２】
多重ポイント協力型送受信システム（coordinated multi-point transmission/reception System；ＣｏＭＰシステム）において、互いに異なる２つ以上の送受信ポイントが協力して信号を転送する。そのようなＣｏＭＰシステムは、アップリンク周波数依存的なスケジューリングのためにアップリンクチャネル状態を測定し、チャネル可逆性（channel reciprocity）を用いてダウンリンクビームフォーミング（Downlink beamforming）のためにアップ／ダウンリンクのチャネル状態を測定する。アップリンクチャネル状態およびダウンリンクチャネル状態の測定のために、サウンディング参照信号（ＳＲＳ）転送が必要であった。
【発明の概要】
【発明が解決しようとする課題】
【０００３】
本発明のすくなくとも一実施形態においては、送受信ポイントのアップリンクサウンディング参照信号の転送電力制御方法を提供する。電力制御方法は、ベース範囲である第１範囲及び上記第１範囲より大きい値を含む第２範囲を含む全体範囲で一定間隔で端末に対するアップリンクサウンディング参照信号の転送電力の特定オフセット値を設定するステップ、及び上記設定されたオフセット値を指示するオフセット情報を上位階層シグナリングを通じて上記端末に転送するステップを含む。
【０００４】
本発明の他の一実施形態は、端末のアップリンクサウンディング参照信号転送電力制御方法を提供する。方法は、ベース範囲である第１範囲及び上記第１範囲より大きい値を含む第２範囲を含む全体範囲で一定間隔でアップリンクサウンディング参照信号転送電力の特定オフセット値を指示するオフセット情報を送受信ポイントから受信するステップ、及び上記オフセット情報が指示するオフセット値を使用するアップリンクサウンディング参照信号の転送電力で上記アップリンクサウンディング参照信号を転送するステップを含む。
【０００５】
本発明の更に他の一実施形態は、送受信ポイントを提供することができる。送受信ポイントは、ベース範囲である第１範囲及び上記第１範囲より大きい値を含む第２範囲を含む全体範囲で一定間隔で端末に対するアップリンクサウンディング参照信号の転送電力の特定オフセット値を設定する制御部、及び上記特定オフセット値を指示するオフセット情報を上位階層シグナリングを通じて上記端末に転送する送信部を含む。
【０００６】
本発明の更に他の一実施形態においては、端末を提供することができる。端末は、ベース範囲である第１範囲及び上記第１範囲より大きい値を含む第２範囲を含む全体範囲で一定間隔でアップリンクサウンディング参照信号転送電力の特定オフセット値を指示するオフセット情報を送受信ポイントから受信する受信部を含み、上記オフセット情報が指示するオフセット値に基づいてアップリンクサウンディング参照信号の転送電力を設定し、また及び上記制御部で設定されたアップリンクサウンディング参照信号の転送電力で上記アップリンクサウンディング参照信号を転送する送信部を含む。
【図面の簡単な説明】
【０００７】
【図１】本発明の実施形態が適用される無線通信システムの一例を図示する。
【図２】端末が１つの送受信ポイントとアップ／ダウンリンクデータを送受信することを示す図である。
【図３】端末が１つの送受信ポイントとアップ／ダウンリンクデータの送受信をすることを示す図である。
【図４】ＳＲＳ生成のための端末の構成を示す図である。
【図５】ＳＲＳを搬送するシンボルの位置を示している。
【図６】周波数ホッピングしないＳＲＳ及び周波数ホッピングするＳＲＳを示している。
【図７】アップリンクチャネルがサービング送受信ポイントでない他の送受信ポイントに転送される例を図示する。
【図８】アップリンクチャネルがサービング送受信ポイントでない他の送受信ポイントに転送される例を図示する。
【図９】アップリンク関連チャネルのうちの一部がサービング送受信ポイントでない他の送受信ポイントに転送される例を図示する。
【図１０】アップリンク関連チャネルのうちの一部がサービング送受信ポイントでない他の送受信ポイントに転送される例を図示する。
【図１１】アップリンク関連チャネルのうちの一部がサービング送受信ポイントでない他の送受信ポイントに転送される例を図示する。
【図１２】アップリンク関連チャネルのうちの一部がサービング送受信ポイントでない他の送受信ポイントに転送される例を図示する。
【図１３】アップリンク関連チャネルのうちの一部がサービング送受信ポイントでない他の送受信ポイントに転送される例を図示する。
【図１４】アップリンク関連チャネルのうちの一部がサービング送受信ポイントでない他の送受信ポイントに転送される例を図示する。
【図１５】本発明の少なくとも一実施形態に係る送受信ポイントのアップリンクサウンディング参照信号転送電力制御方法のフローチャートである。
【図１６】本発明の他の実施形態に係る端末のアップリンクサウンディング参照信号の転送電力制御方法のフローチャートである。
【図１７】本発明の少なくとも一実施形態に係るサウンディング参照信号転送電力制御方法によりサウンディング参照信号がサービング送受信ポイントに転送される例を示す図である。
【図１８】本発明の更に他の実施形態に係る送受信ポイントの構成を示す図である。
【図１９】本発明の更に他の実施形態に係る端末のブロック図を示す図である。
【発明を実施するための形態】
【０００８】
以下、本発明の一部の実施形態を例示的な図面を通じて詳細に説明する。各図面の構成要素に参照符号を付加するに当たって、同一な構成要素に対しては、たとえ他の図面上に表示されてもできる限り同一な符号を有する。また、以下の実施形態の説明に当たり、関連した公知構成または機能に対する具体的な説明が本発明の要旨を曖昧にすることがあると判断される場合には、その詳細な説明は省略する。
【０００９】
本発明の少なくとも一実施形態に係る無線通信システムは、音声、パケットデータなどの多様な通信サービスを提供するために広く配置される。無線通信システムは、ユーザ端末（User Equipment；ＵＥ）及び少なくとも一つの送受信ポイント（Transmission/Reception point）を含む。本明細書におけるユーザ端末は無線通信での端末を意味する包括的な概念であって、ＷＣＤＭＡ（登録商標）、ＬＴＥ、及びＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００１０】
送受信ポイントは、一般的にユーザ端末と通信する地点（station）をいう。しかし、基地局（Base Station；ＢＳ）またはセル（cell）、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）、アンテナなどの他の用語と呼ばれることができる。
【００１１】
即ち、本明細書における送受信ポイント、基地局、またはセル（cell）は、ＣＤＭＡでのＢＳＣ（Base Station Controller）、ＷＣＤＭＡのＮｏｄｅＢ、ＬＴＥでのｅＮＢ、またはセクター（サイト）などがカバーする一部領域または機能を示す包括的な意味として解釈されなければならず、メガセル、マクロセル、マイクロセル、ピコセル、フェムトセル、及びリレーノード（relay node）、ＲＲＨ（Remote Radio Head）、ＲＵ（Radio Unit）通信範囲など、多様なカバレッジ領域を全て包括する意味である。
【００１２】
本明細書におけるユーザ端末と送受信ポイントは、本明細書で記述される技術または技術的思想を具現することに使われる２つ送受信主体で、包括的な意味として使われ、特定に称される用語または単語により限定されるものではない。また、ユーザ端末と送受信ポイントは、本発明で記述される技術または技術的思想を具現することに使われる（UplinkまたはDownlink）送受信主体であり、包括的な意味として使われ、特定に称される用語または単語により限定されるものではない。ここで、アップリンク（Uplink；ＵＬ）は、ユーザ端末により基地局にデータを送受信する方式を意味し、ダウンリンク（Downlink；ＤＬ）は基地局によりユーザ端末にデータを送受信する方式を意味する。
【００１３】
無線通信システムに適用される多重接続技法には制限がなく、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡのような多様な多重接続技法を使用することができる。本発明の一実施形態は、ＧＳＭ、ＷＣＤＭＡ、ＨＳＰＡを経てＬＴＥ及びＬＴＥ-advancedに進化する非同期無線通信と、ＣＤＭＡ、ＣＤＭＡ−２０００、及びＵＭＢに進化する同期式無線通信分野などの資源割当に適用できる。本発明は、特定の無線通信分野に限定または制限されて解釈されてはならず、本発明の思想が適用できる全ての技術分野を含むものとして解釈されるべきである。
【００１４】
アップリンク転送及びダウンリンク転送においては、はＴＤＤ（Time Division Duplex）方式が使われることができ、またはＦＤＤ（Frequency Division Duplex）方式が使われることができる。ここで、ＴＤＤ方式は、互いに異なる時間を使用してアップリンク／ダウンリンク転送を行う。ＦＤＤ方式は、互いに異なる周波数を使用してアプリンク／ダウンリンク転送を行う
【００１５】
本明細書におけるセル（cell）は、送受信ポイントから転送される信号のカバレッジまたは送受信ポイント（transmission pointまたはtransmission/reception point）から転送される信号のカバレッジを有する要素搬送波（component carrier）、その送受信ポイント自体を意味することができる。以降において、送受信ポイントは信号を送信する送信ポイント（transmission point）または信号を受信する受信ポイント（reception point）、これらの結合（transmission/reception point）を意味する。
【００１６】
図１は、本発明の少なくとも一実施形態が適用される無線通信システムの一例を図示する。
【００１７】
図１を参照すると、実施形態が適用される無線通信システム１００は、２つ以上の送受信ポイントが協力して信号を転送する多重ポイント協力型送受信システム（coordinated multi-point transmission/reception System；ＣｏＭＰシステム）または協力型多重アンテナ転送方式（coordinated multi-antenna transmission system）、協力型多重セル通信システムの一つでありうる。ＣｏＭＰシステム１００は、少なくとも２つの送受信ポイント１１０、１１２と端末１２０、１２２を含むことができる。
【００１８】
送受信ポイントは、図に示すように、ｅＮＢ１１０とＲＲＨ１１２のいずれかでありうる。ここで、ｅＮＢ１１０は、基地局またはマクロセル１１０（macro cellまたはmacro node）であり得る。ＲＲＨ１１２は、ｅＮＢ１１０に光ケーブルまたは光ファイバーにより連結されて有線制御される、高い転送パワーを有するか、またはマクロセル領域内の低い転送パワーを有する少なくとも１つのピコセル１１２（pico cell；以下、‘ＲＲＨ’という）でありうる。ｅＮＢ１１０とＲＲＨ１１２は同一なセルＩＤを有することもでき、互いに異なるセルＩＤを有することもできる。
【００１９】
以下、ダウンリンク（downlink）は、送受信ポイント１１０、１１２から端末１２０への通信または通信経路を意味する。アップリンク（uplink）は端末１２０から送受信ポイント１１０、１１２への通信または通信経路を意味する。ダウンリンクにおいて、送信機は送受信ポイント１１０、１１２の一部分であり、受信機は端末１２０、１２２の一部分でありうる。アップリンクで、送信機は端末１２０の一部分であり、受信機は送受信ポイント１１０、１１２の一部分でありうる。
【００２０】
図２及び図３は、端末が１つの送受信ポイントとアップ／ダウンリンクデータ転送することを示す図である。
【００２１】
図２及び図３を参照すると、各送受信ポイントのセルＩＤが同一であるか、または互いに異なる状況で、端末はアップ／ダウンリンク信号全てを１つの送受信ポイントとやりとりすることができる。
【００２２】
ＬＴＥ、ＬＴＥ−Ａのようなシステムでは、１つの搬送波または搬送波対を基準として、アップリンクとダウンリンクを構成して規格を構成する。アップリンクとダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャネルを介して制御情報を転送し、ＰＤＳＣＨ（Physical Downlink Shared CHannel）、ＰＵＳＣＨ（Physical Uplink Shared CHannel）などのデータチャネルで構成されてデータを転送する。本明細書において、ＰＤＣＣＨはＥＰＤＣＣＨを含む概念である。
【００２３】
送受信ポイント（例えば、１１０、１１２）のうちの１つであるｅＮＢ１１０は、端末１２０、１２２にダウンリンク転送を遂行することができる。ｅＮＢ１１０は、ユニキャスト転送（unicast transmission）のための主物理チャネルであるチャネルＰＤＳＣＨ、そしてＰＤＳＣＨの受信に必要なスケジューリングなどのダウンリンク制御情報、及びアップリンクデータチャネル（例えば、チャネルＰＵＳＣＨ）の転送のためのスケジューリング承認情報を転送するための物理ダウンリンク制御チャネル（Physical Downlink Control Channel；ＰＤＣＣＨ）を転送することができる。以下、各チャネルを介して信号が送受信されることを該当チャネルが送受信される形態として記載する。
【００２４】
第１端末（ＵＥ１）１２０は、ｅＮＢ１１０にアップリンク信号を転送することができる。第２端末（ＵＥ２）１２２は、送受信ポイント１１０、１１２のうちの１つであるＲＲＨ１１２にアップリンク信号を転送することができる。あるいは、第１端末１２０はＲＲＨ１１２にアップリンク信号を転送し、第２端末１２２はｅＮＢ１１０にアップリンク信号を転送することができる。また、端末の個数は２つ以上でありうる。単に、以下の実施形態においては、端末の個数は２つであり、１つの端末はｅＮＢ１１０に、他の端末はＲＲＨ１１２にアップリンク信号を転送することと例示的に説明する。
【００２５】
以下では、ＰＵＣＣＨ、ＰＵＳＣＨ、ＰＤＣＣＨ、及び／又はＰＤＳＣＨなどのチャネルを介して信号が送受信される状況を‘ＰＵＣＣＨ、ＰＵＳＣＨ、ＰＤＣＣＨ、及び／又はＰＤＳＣＨを転送、受信する’という形態に表記することもある。
【００２６】
現在の無線通信方式のうちの１つであるＬＴＥ通信システムでは、アップリンクに復調参照信号（Demodulation Reference Signal；ＤＭＲＳ、ＤＭ−ＲＳ）及びＳＲＳが定義され得る。ダウンリンクに３種類の参照信号（Reference Signal；ＲＳ）が定義され得る。セル固有参照信号（Cell-specific Reference Signal；ＣＲＳ）と、ＭＢＳＦＮ参照信号（Multicast/Broadcast over Single Frequency Network Reference Signal；ＭＢＳＦＮ−ＲＳ）及び端末固有参照信号（UE-specific Reference Signal）がそれである。
【００２７】
無線通信システムにおいて、端末はアップリンク（uplink）転送時、データチャネルの復調のためのチャネル情報を把握するために、アップリンク復調信号（ＵＬ ＤＭＲＳまたはＵＬ ＤＭ−ＲＳ）を毎スロット（slot）毎に転送する。ＰＵＳＣＨと連携されているアップリンクＤＭ−ＲＳの場合、毎スロット毎に１つのシンボルに対して参照信号を転送する。ＰＵＣＣＨと連携されているアップリンクＤＭ−ＲＳの場合、ＰＵＣＣＨの方式に従ってＰＵＣＣＨフォーマットに従って、異なる数のシンボルで参照信号を転送する。例えば、ＰＵＣＣＨ１、１ａおよび１ｂの場合には毎スロット毎に３個のシンボルを転送する。またＰＵＣＣＨフォーマット２、２ａ、２ｂおよび３の場合には毎スロット毎に２つのシンボルに対して参照信号を転送する。
【００２８】
このうち、アップリンクＳＲＳは、アップリンク周波数依存的なスケジューリングのためにアップリンクチャネル状態を測定する。アップリンクＳＲＳは、ＴＤＤシステムでチャネル可逆性（channel reciprocity）を用いてダウンリンクビームフォーミング（DL beamforming）のためにアップ／ダウンリンクのチャネル状態を測定することに使われる。
【００２９】
2015529037.tif 000003
【００３０】
追加的に、周期的なＳＲＳと共に非周期的ＳＲＳが定義され得る。該当非周期的ＳＲＳも周期的なＳＲＳと類似するように該当非周期的ＳＲＳ生成のために使われる各種パラメータは無線通信システム１００で使用するように、端末が転送する非周期的ＳＲＳの生成のためのパラメータ、例えば非周期的ＳＲＳの端末−特定ＳＲＳ帯域、転送コム、周波数ドメイン位置、周期、サブフレーム構成、アンテナ構成、ベースシーケンスインデックス、サイクリックシフトインデックスなどを任意の送受信ポイントが端末１２０にＲＲＣパラメータとして転送する。
【００３１】
追加的に、非周期的ＳＲＳを転送するために任意の送受信ポイントは、端末１２０に動的にＰＤＣＣＨを介して非周期的ＳＲＳの転送をトリガリングし、該当端末１２０はＰＤＣＣＨによるトリガリングとＲＲＣパラメータを受信してアップリンク非周期的ＳＲＳを転送するようになる。以下ではＳＲＳの生成と転送過程を具体的に説明する。
【００３２】
2015529037.tif 000004
【００３３】
【数１】
2015529037.tif 000005
【００３４】
【数２】
2015529037.tif 000006
【００３５】
2015529037.tif 000007
【００３６】
2015529037.tif 000008
【００３７】
シーケンスグループホッピング（sequence Group hopping）は端末に割り当てられるＲＢの数に関わらず、３０個のシーケンスグループをスロット毎にホッピングする。
【００３８】
2015529037.tif 000009
【００３９】
【数３】
2015529037.tif 000010
【００４０】
2015529037.tif 000011
【００４１】
2015529037.tif 000012
【００４２】
【数４】
2015529037.tif 000013
【００４３】
2015529037.tif 000014
【００４４】
2015529037.tif 000015
【００４５】
2015529037.tif 000016
【００４６】
2015529037.tif 000017
【００４７】
2015529037.tif 000018
【００４８】
【数５】
2015529037.tif 000019
【００４９】
2015529037.tif 000020
【００５０】
2015529037.tif 000021
【００５１】
【数６】
2015529037.tif 000022
【００５２】
2015529037.tif 000023
【００５３】
図４は、サウンディング参照信号（ＳＲＳ）を生成するための端末の構成を図示する。
【００５４】
2015529037.tif 000024
【００５５】
2015529037.tif 000025
【００５６】
＜数１＞により生成されたＳＲＳシーケンスは、サブフレームの該当シンボルにマッピングされうる。そのようなマッピング処理は、図４のリソース要素マッパー（resource element mapper）４２０を通じて遂行されうる。
【００５７】
図５は、ＳＲＳが転送されるシンボルの位置を図示している。図６は、周波数ホッピングしないＳＲＳと周波数ホッピングするＳＲＳを図示している。
【００５８】
図５及び図６を参照すると、ＳＲＳはサブフレームの最後のシンボルに転送される。周波数領域上でＳＲＳ転送は周波数領域スケジューリングのために関心のある周波数帯域をカバーしなければならない。図６の（ａ）に示すように、単一ＳＲＳ転送で関心のある全体周波数帯域に対するチャネル品質を推定できるように十分に広いＳＲＳ転送を行うことができる。図６の（ｂ）に示すように、狭帯域のＳＲＳを周波数領域でホッピングしながら転送することによって、このようなＳＲＳ転送が合わせられて関心のある全体周波数帯域をカバーするようにすることもできる。
【００５９】
前述したように、ＳＲＳを資源要素にマッピングが完了すれば、ＳＣ−ＦＤＭＡ生成器（SC FDMA generator、図４に図示せず）によりＳＣ−ＦＤＭＡシンボルが生成される。生成されたＳＣ−ＦＤＭＡシンボルに対応するＳＲＳ信号は、送受信ポイントに転送されうる。
【００６０】
ＳＲＳが転送される特定サブフレームは周期的（periodic）または非周期的（aperiodic）に設定できる。例えば、以下の＜表１＞（周波数分割方式（Frequency Division Duplex；ＦＤＤ））または＜表２＞（時分割方式（Time Division Duplex；ＴＤＤ））のように定義されるセル−特定された（cell-specific）ＳＲＳ転送可能なサブフレームのうち、ＳＲＳは各端末別に特定周期とオフセットを有するサブフレームで周期的に転送できる。このようなＳＲＳを周期的ＳＲＳ（periodic SRS）またはトリガータイプ０ ＳＲＳと呼ぶことができる。または、ＳＲＳは非周期的に設定される特定サブフレームで転送できる。このようなＳＲＳを非周期的ＳＲＳ（aperiodic SRS）またはトリガータイプ１ ＳＲＳと呼ぶことができる。
【００６１】
【表１】
2015529037.tif 000026
【００６２】
【表２】
2015529037.tif 000027
【００６３】
以上、ＳＲＳシーケンスの生成と転送過程について図４から図６を参照して説明した。以下ではアップリンクサウンディング参照信号の転送電力制御方法について説明する。
【００６４】
2015529037.tif 000028
【００６５】
【数７】
2015529037.tif 000029
【００６６】
2015529037.tif 000030
【００６７】
2015529037.tif 000031
【００６８】
2015529037.tif 000032
【００６９】
2015529037.tif 000033
【００７０】
2015529037.tif 000034
【００７１】
【数８】
2015529037.tif 000035
【００７２】
2015529037.tif 000036
【００７３】
2015529037.tif 000037
【００７４】
2015529037.tif 000038
【００７５】
2015529037.tif 000039
【００７６】
2015529037.tif 000040
【００７７】
2015529037.tif 000041
【００７８】
2015529037.tif 000042
【００７９】
2015529037.tif 000043
【００８０】
2015529037.tif 000044
【００８１】
2015529037.tif 000045
【００８２】
2015529037.tif 000046
【００８３】
前述したように、本発明の実施形態に係るＳＲＳの転送電力の制御方法は、ＳＲＳが端末１２０にダウンリンク転送するサービング送受信ポイント１１０に転送されうる。また、ＳＲＳがサービング送受信ポイントでない、異なる送受信ポイント、例えばＲＲＨ１１２に転送される場合にも適用されることができ、前述した２つの場合を区分して特定の場合のみに適用されることもできる。
【００８４】
したがって、本発明のすくなくとも一実施形態に係るＳＲＳの転送電力の制御方法に対するより詳細な説明の前に、まずＳＲＳの受信対象がサービング送受信ポイント１１０と変わることができる環境について説明する。
【００８５】
従来の送受信ポイントは大きくディジタル信号処理部（ＤＵ）と無線信号処理部（ＲＵ）が１つの物理的システム内に共に含む。しかしながら、このようなシステムは全ての処理部（ＤＵ及びＲＵ）を含む送受信ポイントをセルに全て設置しなければならないので、セル設計の最適化に限界点があった。
【００８６】
前述した問題点の改善のために本発明の少なくとも一実施形態が適用される無線通信システム１００では、送受信ポイントが新しく提案されたＣＣＣ（Cloud Communication Center）に従ってその機能が分離されて集中できる。一例として、送受信ポイントのディジタル信号処理部（digital signal processing unit；ＤＵ）と無線信号を送／受信する無線信号処理部（radio signal processing unit；ＲＵ）を分離して、ＤＵは電話局、例えばｅＮＢに集中配置し、ＲＵはサービス地域、例えばＲＲＨに設置することができる。
【００８７】
前述した環境で端末は複数個のＲＵのカバレッジ内で位置するか、複数個のＲＵのカバレッジを移動するか、また複数のＲＵのセル境界（cell edge）でＲＵからサービスの提供を受けるようになる。即ち、端末が位置するか、または移動中にＲＵが転送するダウンリンク転送信号のカバレッジと端末がＲＵに転送しなければならないアップリンクのカバレッジが変わることがある。即ち、端末のダウンリンクに対するジオメトリー（geometry）とアップリンクのジオメトリー（geometry）が変わることがあり、特定ＲＵから受信されたダウンリンクにデータチャネル及びコントロールチャネルを受信するＲＵとは異なるＲＵへのアップリンク転送が可能でありうる。
【００８８】
また、マクロセル具現（macro cell deployment）と多様なスモールセル具現（small cell deployment）を考慮する異種網（hetero generous network）状況でも該当場合は類似することができる。即ち、マクロセル（macro cell）のカバレッジとスモールセルのカバレッジとが異なりうる。また、マクロセルから転送されるダウンリンクのデータ及び／又はダウンリンクのコントロールチャネルを受信した端末がアップリンクに対してジオメトリーがよりよいスモールセルカバレッジへのアップリンクデータ及びコントロール転送を遂行しうる。したがって、該当ダウンリンクに対してはアップリンクコントロール情報に対する信頼性を高めることによって、ダウンリンクのデータ転送速度を向上させうる。一方、アップリンクに対してはコントロール情報に対する信頼性及びアップリンクデータ転送に対しても信頼性を高めることによって、アップリンク転送速度を向上させうる。
【００８９】
2015529037.tif 000047
【００９０】
以下、前述した本発明が適用されるシステムにおけるＳＲＳが転送されるさまざまな例に関して図面を参照して説明する。
【００９１】
図７及び図８は、アップリンク関連チャネルが全てサービング送受信ポイントでない異なる送受信ポイントに転送される例を図示する。
【００９２】
図７及び図８を参照すると、各送受信ポイントのセルＩＤが同一であるか、または互いに異なる状況で、ダウンリンクコントロールチャネルとダウンリンクデータチャネルは該当端末が属した送受信ポイント１１０から受信しうる。このとき、アップリンク関連チャネルは全て該当端末１２０にジオメトリー及びチャネル品質がよりよい送受信ポイント１１２に転送されうる。
【００９３】
図９及び図１０は、アップリンク関連チャネルのうちの一部がサービング送受信ポイントでない他の送受信ポイントに転送される例を図示する。
【００９４】
図９及び図１０を参照すると、各送受信ポイントのセルＩＤが同一であるか、または互いに異なる状況で、ダウンリンクコントロールチャネルとデータチャネルは該当端末１２０が属した送受信ポイント１１０から受信しうる。このとき、アップリンク関連チャネルのうち、ＰＵＣＣＨチャネルとチャネルＰＵＳＣＨは、該当送受信ポイント１１０または異なる送受信ポイント１１２に転送しうる。なお、ＰＵＣＣＨは、ダウンリンク転送に対するＡＣＫ／ＮＡＣＫを転送しうる。ＰＵＳＣＨは、アップリンクデータチャネルに対応し得る。一方、ＳＲＳは端末が属したサービング送受信ポイント１１０または端末１２０が属しない異なる送受信ポイント１１２に転送できる。
【００９５】
図１１及び図１２は、アップリンク関連チャネルのうちの一部がサービング送受信ポイントでない他の送受信ポイントに転送される他の例を図示する。
【００９６】
図１１及び図１２を参照すると、ダウンリンクコントロールチャネルとデータチャネルは該当端末が属した送受信ポイント１１０から受信しうる。このとき、アップリンク関連チャネルのうち、ＰＵＣＣＨチャネルとチャネルＰＵＳＣＨは、該当送受信ポイント１１０または異なる送受信ポイント１１２に転送しうる。なお、ＰＵＣＣＨは、ダウンリンク転送に対するＡＣＫ／ＮＡＣＫを転送する。ＰＵＳＣＨは、アップリンクデータチャネルに対応する。なお、ＳＲＳについて、周期的参照信号と非周期的参照信号が全て各々独立的に端末が属した送受信ポイントと端末が属しない異なるサービング送受信ポイント（例えば、ｅＮＢ１１０）および送受信ポイント（例えば、ＲＲＨ１１２）に転送できる。ここに、サービング送受信ポイント（例えば、ｅＮＢ１１０）は、端末が属する送受信ポイントでありうる。異なる送受信ポイント（例えば、ＲＲＨ１１２）は、端末が属しない送受信ピンとでありうる。
【００９７】
図１３及び図１４は、アップリンク関連チャネルのうちの一部がサービング送受信ポイントでない、他の送受信ポイントに転送される更に他の例を図示する。
【００９８】
図１３及び図１４を参照すると、ダウンリンクコントロールチャネルとデータチャネルは、該当端末１２０が属する送受信ポイント１１０から受信する。アップリンク関連チャネルのうち、ＰＵＣＣＨチャネルと、チャネルＰＵＳＣＨは、該当端末１２０が属した送受信ポイント１１０または異なる送受信ポイント１１２に転送しうる。なお、ＰＵＣＣＨは、ダウンリンク転送に対するＡＣＫ／ＮＡＣＫを転送しうる。ＰＵＳＣＨは、アップリンクデータチャネルに対応しうる。一方、ＳＲＳについては、周期的ＳＲＳ（Ｐ−ＳＲＳ）はＰＵＣＣＨ及びＰＵＳＣＨと同一な対象に転送しうる。非周期的ＳＲＳ（Ａ−ＳＲＳ）は各々独立的に端末が属する送受信ポイント（例えば、ｅＮＢ１１０）または端末が属しない異なる送受信ポイント（例えば、ＲＲＨ１１２）に転送することができる。
【００９９】
前述したように、端末が１つの送受信ポイントとのアップ／ダウンリンクデータ及びコントロールチャネルに対する送受信動作を遂行しうる。あるいは、従来のシステムとは異なり、端末の立場で送／受信ターゲットが異なりうる。即ちアップリンクとダウンリンクのデータ及びコントロールチャネルに対するターゲットが異なる場合のアップリンク信号の転送電力の制御方法及びその装置を提供する。
【０１００】
したがって、本実施形態は端末の立場でアップリンクとダウンリンクの送／受信ターゲットが同一な場合に適用しうる。即ち、従来のシステムのように端末が１つの同一な基地局及びＲＵとのアップ／ダウンリンクデータ及びコントロールチャネルに対する送受信動作を遂行するようにする場合と、従来のシステムとは異なり、端末の立場で送／受信ターゲットが異なる場合に適用し得る。より具体的には、本実施形態は、各々に対してアップリンク信号、その中でも特にＳＲＳの転送電力を適切に制御して信号が損傷無しで円滑に転送できるようにサポートする具体的な方法及びその装置を提供する。
【０１０１】
本実施形態に係るアップリンクＳＲＳの転送電力の制御方法では、既存端末との互換のために前述したように転送電力指定のためのオフセット値の設定時、既存の電力制御範囲を含みながら拡張された電力制御範囲で電力値が指定されるようにオフセット値を決定する。以下、既存端末は本実施形態が適用されない端末であって、‘一般ユーザ端末’と称されることができる。
【０１０２】
図１５は、本発明の実施形態に係る送受信ポイントのアップリンクサウンディング参照信号転送電力制御方法のフローチャートである。
【０１０３】
図１５を参照すると、本発明の一実施形態に係る送受信ポイント（例えば、ｅＮＢ１１０）のＳＲＳ転送電力制御方法は、送受信ポイント（例えば、ｅＮＢ１１０）がサウンディング参照信号の転送電力の制御に対する可能な範囲を増やすように端末のアップリンクサウンディング参照信号の転送電力の特定オフセット値を設定する（Ｓ１５１０）。及び送受信ポイント（例えば、ｅＮＢ１１０）が設定されたオフセット値を指示するオフセット情報を上位階層シグナリング、例えばＲＲＣシグナリングを通じて端末１２０に転送するステップ（Ｓ１５２０）を含む。ステップＳ１５２０で、端末１２０はこのオフセット情報を受信する。
【０１０４】
2015529037.tif 000048
【０１０５】
2015529037.tif 000049
【０１０６】
2015529037.tif 000050
【０１０７】
2015529037.tif 000051
【０１０８】
2015529037.tif 000052
【０１０９】
2015529037.tif 000053
【０１１０】
このような方法は本発明の実施形態が適用される新たな端末が、図７から図１４を参照して説明した新たなネットワークにいて動作する場合、本実施形態は、新たな端末に対して適用し得る。図２及び図３を参照して説明した既存ネックワークに属して動作する場合においても、本発明の実施形態が適用されない既存端末の設定と同一に動作できる。ここに、既存端末は、本実施形態が適用されない端末である。また、新たなネットワークに属して動作する場合、既存ネットワークで指示される該当オフセット値の設定と同一な値を指示することができる。したがって、バックワード互換性を維持できるようになる。
【０１１１】
より具体的には、本発明の実施形態が適用される新たな端末（すなわち、本実施形態が適用される端末）が図７から図１４を参照して説明した新たなネットワークで動作する場合、送受信ポイントは第１範囲と第２範囲を含む全体範囲内において一定の間隔でＳＲＳ転送電力を特定するオフセット値を各端末に設定することができる。一方、本発明の実施形態が適用される新たな端末が図２及び図３を参照して説明した既存ネックワークに属して動作する場合、送受信ポイントは第１範囲内において一定の間隔でＳＲＳ転送電力を指定するオフセット値を各端末に設定することができる。また、本発明の実施形態が適用されない既存端末が新たなネックワークで動作する場合、既存ネットワークで指示される該当オフセット値の設定と同一な値とすることができる。言い換えると、第１範囲内において一定の間隔の特定オフセット値を用いてＳＲＳ転送電力のオフセット値を各端末に設定することができる。
【０１１２】
2015529037.tif 000054
【０１１３】
2015529037.tif 000055
【０１１４】
2015529037.tif 000056
【０１１５】
2015529037.tif 000057
【０１１６】
2015529037.tif 000058
【０１１７】
2015529037.tif 000059
【０１１８】
ここで、追加的なｍ≧２を適用するＳＲＳに対しては周期的ＳＲＳは考慮せず、非周期的ＳＲＳに対する電力制御設定に使用するか、または非周期的参照信号は考慮せず、周期的参照信号に対する電力制御設定に使用することができる。
【０１１９】
ステップＳ１５２０で、送受信ポイントは設定されたオフセット値を指示するオフセット情報を時間−周波数資源を通じて端末に転送する。
【０１２０】
送受信ポイントは（例えば、ｅＮＢ１１０）、オフセット情報を上位階層シグナリング、例えばＲＲＣメッセージを通じて端末に転送することができる。
【０１２１】
ここに、オフセット情報は第１範囲を一定間隔で表現した第１パラメータと、第２範囲を一定間隔で表現した第２パラメータを含むことができる。第１パラメータは、Ｋｓ＝１．２５の時［−３，１２］ｄＢの第１範囲を１ｄＢ間隔で表現し、Ｋｓ＝０の時、［−１０．５，１２］ｄＢの第１範囲を１．５ｄＢ間隔で表現するので、総４ビット（００００から１１１１）でありうる。第２パラメータはＫｓ＝１．２５の時、（１２，２８］ｄＢの第２範囲を１ｄＢ間隔で表現し、Ｋｓ＝０の時、（１２，２８．５］ｄＢの第２範囲を１．５ｄＢ間隔で表現することができる。この際、第２パラメータは第１範囲及び第２範囲を含む全体範囲を全て表現できるように総５ビット（０００００から１１１１１）大きさのパラメータであることがあるが、実質的には第２範囲を表現するために５ビットの値のうち、第２範囲に対応する１００００から１１１１１の値のみ使用することができる。
【０１２２】
送受信ポイントは既存端末または既存ネットワークで動作する端末に第１パラメータのみを含むオフセット情報を転送しうる。また、送受信ポイントは、新たな端末または新たなネットワークで動作する端末に第１パラメータあるいは第２パラメータのうち、少なくとも１つを含むオフセット情報を転送することができる。
【０１２３】
送受信ポイント（例えば、ｅＮＢ１１０）は、第１パラメータと第２パラメータを含むオフセット情報を端末１２０に転送することができる。
【０１２４】
2015529037.tif 000060
【０１２５】
図１６は、本発明の他の実施形態に係る端末のアップリンクＳＲＳの転送電力の制御方法のフローチャートである。
【０１２６】
図１６を参照すると、本発明の他の実施形態に従う端末１２０がアップリンクサウンディング参照信号転送電力を制御する方法において、端末１２０はステップＳ１６１０で送受信ポイント（例えば、ｅＮＢ１１０）から時間−周波数資源を通じてオフセット情報を受信することができる。ここで、オフセット情報は端末１２０のアップリンクサウンディング参照信号転送電力のための特定オフセット値を指示することができる。特定オフセット値はサウンディング参照信号の転送電力の制御に対する可能な範囲を増やすように送受信ポイント（例えば、ｅＮＢ１１０）により設定できる。ステップＳ１６２０で、端末１２０はアップリンクサウンディング参照信号転送電力にアップリンクサウンディング参照信号を転送することができる。ここで、アップリンクサウンディング参照信号転送電力はオフセット情報が指示する特定オフセット値に基づいて決定できる。
【０１２７】
ステップＳ１６１０で、端末は送受信ポイントにより設定されたオフセット値を指示するオフセット情報を時間−周波数資源を通じて受信する。端末は、オフセット情報を上位階層シグナリング、例えばＲＲＣメッセージを通じて送受信ポイントから受信することができる。
【０１２８】
図１６に示すように、ステップＳ１６２０で、ＳＲＳの受信対象は図１６で図示したように、サービング送受信ポイント（例えば、ｅＮＢ１１０）でない、前述したようにサウンディング参照信号のシーケンス生成のための参照信号ＩＤによって異なる送受信ポイント（例えば、ＲＲＨ１１２）になることもできる。ここに、異なる送受信ポイントは、上述したように、ＳＲＳ生成シーケンスの参照信号識別（reference signal identity）により特定される。あるいは、ＳＲＳの受信対象は、サービング送受信ポイント（例えば、ｅＮＢ１１０）になることもできる。
【０１２９】
図１７は、本発明の少なくとも一実施形態に係るＳＲＳの転送電力制御方法によりＳＲＳがサービング送受信ポイントに転送される例を示す図である。
【０１３０】
図１７を参照すると、本発明の他の実施形態に係る端末１２０のアップリンクＳＲＳの転送電力制御方法においては、端末１２０がＳＲＳの転送電力の制御に対する可能な範囲を増やすように送受信ポイント１１０により設定された端末１２０のアップリンクＳＲＳの転送電力の特定オフセット値を指示するオフセット情報を時間−周波数資源を通じて前述した送受信ポイント１１０から受信する（Ｓ１７１０）。ここに、オフセット情報が指示する特定オフセット値を使用したアップリンクＳＲＳの転送電力でアップリンクＳＲＳを転送する（Ｓ１７２０）。そして、アップリンクデータチャネルの転送はＲＲＨ１１２に転送するステップ（Ｓ１７３０）を含む。
【０１３１】
ステップＳ１７１０で、端末１２０は送受信ポイント（例えば、ｅＮＢ１１０）により設定されたオフセット値を指示するオフセット情報を時間−周波数資源を通じて受信しうる。端末１２０は、オフセット情報を上位階層シグナリング、例えばＲＲＣメッセージを通じて送受信ポイントから受信することができる。
【０１３２】
前述したように、オフセット情報は第１範囲を一定の間隔で定義する第１パラメータと、第２範囲を一定の間隔で定義する第２パラメータを含むことができる。第１パラメータはＫｓ＝１．２５の時、［−３，１２］ｄＢの第１範囲を１ｄＢ間隔で表現し、Ｋｓ＝０の時、［−１０．５，１２］ｄＢの第１範囲を１．５ｄＢ間隔で表現するので、総４ビット（００００から１１１１）でありうる。第２パラメータは、Ｋｓ＝１．２５の時、（１２，２８］ｄＢの第２範囲を１ｄＢ間隔で表現し、Ｋｓ＝０の時、（１２，２８．５］ｄＢの第２範囲を１．５ｄＢ間隔で表現することができる。この際、第２パラメータは第１範囲及び第２範囲を含む全体範囲を全て表現できるように総５ビット（０００００から１１１１１）大きさのパラメータであることがあるが、実質的には第２範囲を表現するために５ビットの値のうち、第２範囲に対応する１００００から１１１１１の値のみ使用することができる。
【０１３３】
2015529037.tif 000061
【０１３４】
ステップＳ１７２０で、端末１２０はオフセット情報が指示する特定オフセット値に使用したアップリンクＳＲＳの転送電力でアップリンクＳＲＳを転送する。
【０１３５】
2015529037.tif 000062
【０１３６】
2015529037.tif 000063
【０１３７】
前述したように、本発明の実施形態に係るサウンディング参照信号転送方法では、オフセット値が指定することができる転送電力範囲を増加させること以外に、＜数７＞において経路損失推定値であるＰＬｃをＣＳＩ−ＲＳを用いて推定された経路損失を推定することもでき、ダウンリンクで使用するＣＲＳ（cell specific RS）とＣＳＩ−ＲＳを全て用いて経路損失を推定することもできる。
【０１３８】
まず、ダウンリンクで使われるＣＳＩ−ＲＳを用いて経路損失を推定することができる。
【０１３９】
少なくとも一実施形態において、ノン−ゼロパワーＣＳＩ−ＲＳ資源（non-zero power CSI-RS resource）とゼロパワーＣＳＩ−ＲＳ資源（zero-power CSI-RS resource）を用いてアップリンクチャネル及び信号転送のための電力制御パラメータとして該当経路損失を推定することができる。ここに、ノン−ゼロパワーＣＳＩ−ＲＳ資源とゼロパワーＣＳＩ−ＲＳ資源とは、端末−特定に定まりうる。即ち、ノン−ゼロパワーＣＳＩ−ＲＳ資源に対しては、該当端末のＰＤＣＣＨまたはＰＤＳＣＨを受信するダウンリンクに対する経路損失推定のために使用しうる。一方、ゼロパワーＣＳＩ−ＲＳ資源に対してはＰＤＣＣＨまたはＰＤＳＣＨを受信するダウンリンクの経路損失（path-loss）推定のためのものでない。しかし、ある特定ＣｏＭＰ測定セット（CoMP measurement set）内での経路損失推定に考慮することができる。したがって、この場合、端末がアップリンクに転送する物理的チャネル及び信号の転送電力制御時、ターゲット受信送受信ポイントに合うように該当経路損失推定値を使用するようにすることができる。
【０１４０】
他実施形態において、ダウンリンクで端末−特定に転送されるＣＳＩ−ＲＳ資源のうち、干渉信号測定資源（interference measurement resources（ＩＭＲｓ））を用いて経路損失を推定することができる。この場合、ＩＭＲｓは、ＰＤＣＣＨまたはＰＤＳＣＨを受信するダウンリンクの経路損失推定に使用しない。しかし、ある特定ＣｏＭＰ測定セット内での経路損失の推定にＩＭＲｓは考慮することができる。したがって、この場合、端末１２０がアップリンクに転送する物理的チャネル及び信号の転送電力制御時、ターゲット受信送受信ポイントに合うように該当経路損失推定値を使用するようにすることができる。
【０１４１】
前述したように、ダウンリンクで使用するＣＲＳ（cell specific RS）とＣＳＩ−ＲＳを全て用いて経路損失を推定することもできる。
【０１４２】
少なくとも一実施形態において、セル−特定に定まるセル−特定参照信号（ＣＲＳ）を用いて、端末１２０はＰＤＣＣＨまたはＰＤＳＣＨを受信するダウンリンクに対する経路損失推定を遂行しうる。ここに、セル−特定参照信号（ＣＲＳ）は、端末−特定に定まるゼロパワーＣＳＩ−ＲＳ資源またはノン−ゼロパワーＣＳＩ−ＲＳ資源に対してはＰＤＣＣＨまたはＰＤＳＣＨを受信するダウンリンクに対する経路損失の推定には使用しない。しかし、ゼロパワーＣＳＩ−ＲＳ資源および／またはノン−ゼロパワーＣＳＩ−ＲＳ資源は、異なる送受信ポイントへの経路損失推定値に考慮して端末１２０がアップリンクに転送する物理的チャネル及び信号の転送電力制御時、ターゲット受信送受信ポイントに合うように該当値を使用するようにすることができる。したがって、この場合、アップリンク物理チャネルの転送電力および／またはアップリンク信号を制御するとき、端末１２０は、ターゲット送受信ポイントに合うように推定された経路損失を使用することができる。ここに、異なる送受信ポイントへの経路損失推定値に使われるＣＳＩ−ＲＳ資源は、ゼロパワーＣＳＩ−ＲＳ資源、またはノン−ゼロパワーＣＳＩ−ＲＳ資源でありうる。
【０１４３】
他の実施形態において、セル−特定に定まるセル−特定ＲＳ（cell-specific Reference Signal）を用いて端末１２０はＰＤＣＣＨまたはＰＤＳＣＨを受信するダウンリンクに対する経路損失推定を遂行しうる。ノン−ゼロパワーＣＳＩ−ＲＳ資源に対してはＣＲＳを通じての経路損失推定を補正するために使用しうる。一方、ゼロパワーＣＳＩ−ＲＳ資源に対してはＰＤＣＣＨまたはＰＤＳＣＨを受信するダウンリンクの経路損失推定に使用しない。しかし、ある特定ＣｏＭＰ測定セット内での経路損失推定を考慮して端末１２０がアップリンクに転送するチャネル及び信号の転送電力制御時、ターゲット受信送受信ポイントに合うように該当経路損失推定値を使用することができる。
【０１４４】
更に他の実施形態において、セル−特定に定まるセル−特定参照信号（Reference Signal）を用いて端末１２０はＰＤＣＣＨまたはＰＤＳＣＨを受信するダウンリンクに対する経路損失推定を遂行しうる。ノン−ゼロパワーＣＳＩ−ＲＳ資源に対してはＣＲＳを通じての経路損失推定を補正するために使用しうる。一方、端末−特定に転送されるＣＳＩ−ＲＳ資源のうち、干渉信号測定資源（interference measurement resources（ＩＭＲｓ））を用いて経路損失を推定するようにすることができる。この場合、ＩＭＲｓは、ＰＤＣＣＨまたはＰＤＳＣＨを受信するダウンリンクの経路損失推定に使用しない。しかし、ＩＭＲｓは、ある特定ＣｏＭＰ測定セット内での経路損失推定を考慮しうる。したがって、端末１２０がアップリンクに転送するチャネル及び信号の転送電力制御時、ターゲット受信対象送受信ポイントに合うように該当経路損失推定値を使用することができる。
【０１４５】
前述したように、ダウンリンクで使用するＣＲＳ（cell specific RS）とＣＳＩ−ＲＳを全て用いて経路損失を推定する方法は、アップ／ダウンリンクを同一な送受信ポイントに転送を遂行している既存端末の転送電力制御に対しては影響を与えないように設定しうる。ここに、新たな端末は、経路損失の推定の新たな構成を使用することができる端末を意味する。既存の端末は、同じ送受信ポイントとアップリンク／ダウンリンク通信を行いうる。
【０１４６】
以上のように、既存端末及び既存ネットワークのシステムとの互換性を維持しながらＳＲＳの転送電力制御範囲を効率的に拡張し、経路損失に対する推定値を修正する方法について説明した。
【０１４７】
前述したように、本発明の実施形態が適用される無線通信システムにおけるＳＲＳの受信対象は端末にダウンリンク転送するサービング送受信ポイント（例えば、ｅＮＢ１１０）になることもできる。あるいは、異なる送受信ポイント（例えば、ＲＲＨ１１２）になることもできる。したがって、このようにＳＲＳの受信対象が変更される場合、前述した拡張されたＳＲＳの転送の電力制御範囲で効率的にサウンディング参照信号の転送電力を決定する必要がある。以下では、ＳＲＳのターゲット受信対象がサービング送受信ポイント１１０の場合と、そうでない場合とを区分して、サウンディング参照信号の転送電力を制御する方法に関して説明する。
【０１４８】
本発明の実施形態に係る無線通信システムにおけるアップリンクＳＲＳの転送電力が制御される時には次のときに応じて異なるように設定できる。ｉ）図２及び図３を参照して説明したように、端末１２０にダウンリンクを転送するサービング送受信ポイント（例えば、ｅＮＢ１１０）にＳＲＳが転送されるときｉｉ）図７から図１４を参照して説明したように、ＳＲＳのターゲット受信対象が異なる送受信ポイント１１２に設定されるときである。
【０１４９】
ＳＲＳに対する転送電力を設定する時、ＳＲＳの受信対象（すなわち、ターゲット受信送受信ポイント）の情報が指示しうる。ここにＰＵＳＣＨを転送する送受信ポイントと同一な送受信ポイントか、ＰＵＳＣＨを転送する送受信ポイントと異なる送受信ポイントへの転送かを明示的に指示することができる。
【０１５０】
端末１２０でＳＲＳの転送時、送受信ポイント（例えば、ｅＮＢ１１０）が端末１２０に、端末１２０が転送するＳＲＳの受信対象に向けたサウンディング転送電力を準静的（semi-static）に決定しうる。ここに、明示的なシグナリングとしてＲＲＣパラメータにサウンディング参照信号の受信対象がサービング送受信ポイント１１０か否かに関する特定ビット情報、例えば１ビット情報を定義することができる。あるいは、送受信ポイント１１０（例えば、ｅＮＢ１１０）が端末１２０に端末１２０が転送するＳＲＳの転送電力を動的に定めることができる。ここに、ＰＤＣＣＨに追加的なシグナリングでＳＲＳのターゲット受信対象がサービング送受信ポイント（例えば、ｅＮＢ１１０）か否かに対する指示情報を追加することができる。
【０１５１】
端末１２０は、このような明示的なシグナリングからＳＲＳの転送電力を設定する時、次の設定処理のいずれかを使用し得る。ｉ）第１の設定処理では、ＰＵＳＣＨの転送電力制御情報と連携されているパラメータと、サービング送受信ポイント（例えば、ｅＮＢ１１０）からの経路損失（Path-loss）推定値によりＳＲＳの転送電力を設定しうる。ｉｉ）第２の設定処理では、ＳＲＳの転送電力の制御の追加的方法に従ってＳＲＳの転送電力を設定しうる。より具体的には、第２の設定処理においては、ＰＵＳＣＨ転送電力制御情報と連携せずＳＲＳを設定しうる。すなわち、ＰＵＳＣＨと解除（decoupling）されるように設定しうる。いいかえると、ＰＵＳＣＨ転送電力制御情報と連携されているパラメータ、またはサービング送受信ポイント（例えば、ｅＮＢ１１０）からの経路損失推定値に対しては該当ＳＲＳの転送電力に対する設定時に使用しない。したがって、追加的なＳＲＳの転送電力制御方法に従うように設定するかを定めることができる。
【０１５２】
2015529037.tif 000064
【０１５３】
この場合、明示的なシグナリングに対する指示情報の追加がない場合には、端末１２０はサービング送受信ポイント（例えば、ｅＮＢ１１０）への転送であることを認知しうる。サウンディング参照信号を転送するに当たって、ＳＲＳ転送電力制御に対する設定はＰＵＳＣＨの転送電力制御と連携されているパラメータを用いて決定できる。即ち、この場合、既存の第１範囲内でのオフセット値指定がなされることができる。経路損失に対する推定値もサービング送受信ポイント（例えば、ｅＮＢ１１０）に対する経路損失推定値をそのまま従うことができる。これは、サウンディング参照信号と他のアップリンクデータチャネル（ＰＵＳＣＨ）とアップリンクコントロールチャネル（ＰＵＣＣＨ、ＰＲＡＣＨ）との同時転送の場合に対して既存の方式の通り動作する端末との互換性を維持するためである。
【０１５４】
前述したように、サウンディング参照信号の受信対象がサービング送受信ポイント１１０か否かに関して明示的にシグナリングせず、暗黙的（implicit）に指示（indication）することもできる。
【０１５５】
2015529037.tif 000065
【０１５６】
2015529037.tif 000066
【０１５７】
2015529037.tif 000067
【０１５８】
2015529037.tif 000068
【０１５９】
2015529037.tif 000069
【０１６０】
したがって、ＳＲＳと他のアップリンクチャネルが同時に転送されるとき、既存のシステムとの互換性により、既存の端末が既存の方法で動作するようにできる。ここに、他のアップリンクチャネルは、アップリンクデータチャネル（例えば、ＰＵＳＣＨ）と、アップリンクコントロールチャネル（ＰＵＣＣＨ、ＰＲＡＣＨ）との少なくとも一つを含む。
【０１６１】
図１８は、本発明の更に他の実施形態に係る送受信ポイントの構成を示す図である。
【０１６２】
図１８を参照すると、本発明の実施形態に係る送受信ポイントは、制御部１８２０、送信部１８３０、及び受信部１８１０などを含む。
【０１６３】
制御部１８２０は前述した本発明の遂行に必要とするＣｏＭＰ動作及びアップリンク参照信号の転送に従う全般的な送受信ポイントの動作を制御する。
【０１６４】
制御部１８２０は、前述したように端末のアップリンクサウンディング参照信号転送電力を制御するために、端末のアップリンクＳＲＳの転送電力のオフセット値を設定しうる。より具体的には、第１範囲第２範囲を含む全体範囲において一定の間隔を用いてオフセット値を設定しうる。ここに、第１範囲は、既存の範囲である。第２の範囲は、第１の範囲よりも大きい値を含む範囲である。
【０１６５】
送信部１８３０と受信部１８１０は、前述した本発明の遂行に必要とする信号やメッセージ、データを端末と送受信することに使われる。
【０１６６】
送信部１８３０は、オフセット情報を時間−周波数資源を通じて端末に転送する。ここに、オフセット情報は、制御部で設定されたオフセット値を意味しうる。
【０１６７】
図１９は、本発明の更に他の実施形態に係る端末のブロック図を示す図である。
【０１６８】
図１９を参照すると、本発明の実施形態に係る端末は、受信部１９１０、制御部１９２０、及び送信部１９３０を含む。
【０１６９】
受信部１９１０は、送受信ポイントから制御情報及びデータ、メッセージを、チャネルダウンリンクチャネルを介して受信する。
【０１７０】
このような受信部１９１０が受信する制御情報は、オフセット値を指示するオフセット情報を含む。ここに、オフセット値は、アップリンクＳＲＳの転送電力を、第１の範囲と第２の範囲を含む全体範囲において一定の間隔を用いて、設定されうる。ここに、第１の範囲は、既存の範囲である。第２の範囲は、第１の範囲よりも大きい範囲でありうる。
【０１７１】
制御部１９２０は受信部１９１０で受信したオフセット情報に基づいてアップリンクＳＲＳの転送電力を設定する。即ち、制御部１９２０はオフセット情報が指示するオフセット値に基づいてアップリンクＳＲＳが転送できるようにＳＲＳの転送電力の制御を遂行することができる。
【０１７２】
そして、送信部１９３０は制御部１９２０で設定されたアップリンクＳＲＳの転送電力でアップリンクＳＲＳを転送する。
【０１７３】
前述した実施形態で言及した標準規格と関連した内容明細書の説明を簡略にするために省略したもので本明細書の一部を構成する。したがって、上記の標準規格と関連した内容の一部の内容を本明細書に追加するか、または請求範囲に記載することは本発明の範囲に該当するものと解釈されなければならない。
【０１７４】
より具体的には、添付した以下の文書は既に公開された文書の一部で本明細書の一部を構成する。したがって、上記の標準内容及び標準文書の一部の内容を本明細書に追加するか、または請求範囲に記載することは、本発明の技術的範囲に該当するものとして解釈されなければならない。
【０１７５】
以上の説明のように、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものではなく、説明するためのものであり、このような実施形態により本発明の技術思想の範囲が限定されるものではない。本発明の保護範囲は請求範囲により解釈されなければならず、それと同等な範囲内にある全ての技術思想は本発明の権利範囲に含まれるものとして解釈されるべきである。
【０１７６】
他の出願への参照
【０１７７】
本特許出願は、２０１２年７月１２日付で韓国に出願した特許出願番号第１０−２０１２−００７６２６４号、２０１２年８月２４日付で韓国に出願した特許出願番号第１０−２０１２−００９３３３１号、及び２０１２年１２月１２日付で韓国に出願した特許出願番号第１０−２０１２−０１４４４９０号に対し、米国特許法１１９（ａ）条（３５Ｕ．Ｓ．Ｃ§１１９（ａ））により優先権を主張し、その全ての内容は参考文献として本特許出願に併合され、併せて、その全ての内容は本特許出願に併合される。
【図１】
2015529037.tif 000070
【図２】
2015529037.tif 000071
【図３】
2015529037.tif 000072
【図４】
2015529037.tif 000073
【図５】
2015529037.tif 000074
【図６】
2015529037.tif 000075
【図７】
2015529037.tif 000076
【図８】
2015529037.tif 000077
【図９】
2015529037.tif 000078
【図１０】
2015529037.tif 000079
【図１１】
2015529037.tif 000080
【図１２】
2015529037.tif 000081
【図１３】
2015529037.tif 000082
【図１４】
2015529037.tif 000083
【図１５】
2015529037.tif 000084
【図１６】
2015529037.tif 000085
【図１７】
2015529037.tif 000086
【図１８】
2015529037.tif 000087
【図１９】
2015529037.tif 000088
【国際調査報告】
2015529037.tif 000089
2015529037.tif 000090